Podtech/llm-jp-corpus-v4-ja_patent huggingface dataset:
(57)【要約】【課題】長時間車両用座席又は椅子等に着座するときにひきおこされる、腰部、でん部の疲労、痛みを軽減する、布製重層敷物材料を提供する。【解決手段】多様な布を、複数種類混在させ、それを複数十枚重ねることで、良好な感触の車両用座席又は椅子等の敷物材料にすることを特徴とする。【特許請求の範囲】
【請求項１】
織編物、不織布などの布を複数十枚重ね、その外周を接合した、車両用座席又は椅子等の敷物材料。
【発明の詳細な説明】
【技術分野】
【０００１】  この発明は、多種類もしくは単一種類の布を、車両用座席又は椅子等の全体を覆う程度の大きさか、または着座部を覆う程度の大きさに裁断し、それを複数十枚重ねて外周を接合し、良好な感触の中材にした、車両用座席又は椅子等の布製重層敷物材料に関するものである。
【背景技術】
【０００２】  従来、車両用座席又は椅子等の敷物材料は、わたやキルト芯、発泡体や立体編物などの芯材をカバーで覆ったものや、いぐさや木竹、皮革、布帛などを、車両用座席又は椅子等の、全体もしくは腰背部のみ、もしくは着座部のみを覆う大きさに形成したものがあったが、座り心地に改良の余地があったり、高価であったりした。
【発明の開示】
【発明が解決しようとする課題】
【０００３】  これは次のような欠点があった。
車両用座席又は椅子等の敷物材料において、わたやキルト芯、発泡体は、長期間の使用により、へたりやすく、かたよりやすかった。また、それらは軽量であり、位置が移動しやすく、座席又は椅子等に、敷物材料が落ち着かないため、そのずれを直すというような不要な手間を要したり、しわが寄って不快であったりした。また、それらの材料において、やわらかいということが逆に欠点になることもあった。腰背部や着座部がやわらかく、沈み込むような体勢は、長時間運転する場合や、長時間椅子に着座し、勉強したり書き物をしたりする場合には不向きであり、それを解決するため、剛性をそなえたやわらかさを目指し、作られているものもあるが、布を複数十枚重ねて作られているものはまだない。本発明は、長時間乗車する場合や、長時間椅子等に着座する場合に、腰背部やでん部に負担がかかりにくくするために、座席や椅子等に敷いて使用する、ちょうど良い感触の敷物材料を作ることを目的とするものである。
【課題を解決するための手段】
【０００４】  天然繊維、化学合成繊維などを材料とした、織編物、不織布などの布を、車両用座席又は椅子等の背もたれ部分から着座部分を覆う広さ、形状、又は、着座部分のみを覆う広さ、形状に裁断し、多種類又は単一種類のそれを、底つき感を感じないようになるまで、複数十枚重ね、その外周を縫合又は接着し、任意のカバーを付け、車両用座席又は椅子等に固定する。
本発明は以上の構成よりなる、布製重層敷物材料である。
【発明の効果】
【０００５】  布を重ねることで、かたよらず、また、とてもへたりにくい敷物材料を作ることができ、かつまた、複数十枚という多数の布を、多種類で構成し、重ねることで、硬すぎず柔らかすぎない大変良好な、理想のクッション性をもたらすことができる。また、布を重ねて使用するため、傷や汚れのある布や、使い古しのものも使用することができ、資源節約に役立つ。既存の材料で作製することができ、どのような特徴の布も、組み合わせを工夫することで、幅広く利用することができる。また、適度な厚みがあるため、しわがよりにくく、適度な重さがあるため、車両用座席又は椅子等に密着しやすくずれにくい。
【発明を実施するための最良の形態】
【０００６】  以下、本発明を実施するための、最良の形態について説明する。
車両用座席又は椅子等の背もたれから着座部分、もしくは、着座部分のみなどを覆う広さ、形状に布を裁断し、それを、底つき感を感じない厚さになるまで、複数十枚重ねる。その時使用する布は、天然繊維、化学合成繊維などの、織物や編み物、不織布などの布を、数種類混在させて積層するが、たとえば、伸びやすい編物の布も、織物を適宜間に挟むことで使用することができるうえ、ただ、織物のみであったり、また編物のみであったりするより、良好な感触になる。また、天然繊維や、または化学合成繊維のみで積層するより肌ざわりや保温のために外側を天然繊維で積層し、内側は湿気をたまりにくくするために、化学合成繊維で積層するなどし、多種類を混在させて積層するほうが、やはり、良好な感触が得られると思われる。その、布を複数十枚積層したものの外周を、縫合または接着、またはバイアステープでくるむなどして、それに同型の袋状のカバーをつけるが、肌ざわりを考慮した中材のため、少なくとも体に当たる面は天然繊維を使用して作成することが望ましい。それを車両用座席又は椅子等に、任意に固定、または敷くなどして用いる。
(57)【要約】【課題】  豆腐を簡単にさいの目に切るための、豆腐切り器を提供する。【解決手段】  コの字型でできた本体の開口部角に支軸を設け、この支軸間に糸を張り、支軸間に張った糸に対し直角方向にも糸を張り、そして開口部１箇所にも糸を張りこの糸により豆腐を切ることを特徴とする豆腐切り器。【選択図】図１
2009142614.tif 000002
【特許請求の範囲】
【請求項１】
コの字型でできた本体の開口部角に支軸を設け、この支軸間に糸を張り、支軸間に張った糸に対し直角方向にも糸を張り、そして開口部１箇所にも糸を張りこの糸により豆腐を切ることを特徴とする豆腐切り器。
【発明の詳細な説明】
【技術分野】
【０００１】  本発明は、豆腐を簡単にさいの目に切るための、豆腐切り器に関するものである。
【背景技術】
【０００２】  従来、豆腐を切る時は、手の上に豆腐を乗せたまま包丁で切る、又はまな板の上で包丁を使い切っていた。
【発明の開示】
【発明が解決しようとする課題】
【０００３】  そのために、次のような問題点があった。
（イ）手の上に乗せた豆腐をきる場合、包丁の刃が手のひらに触れるため大変危険であ        った。
（ロ）まな板の上に乗せた豆腐を切る場合、豆腐の数が大量であると大変効率が悪かっ        た。
（ハ）包丁で豆腐を切り、切った豆腐の大きさを均一にする事は大変難しかった。
本発明は、これらの問題点を解決するためになされたものである。
【課題を解決するための手段】
【０００４】コの字型の板でできた本体の開口部角に支軸を設け、この支軸間に糸を張り、支軸間に張った糸に対し直角方向にも糸を張る。そして残りの開口部一箇所にも糸を張りこの糸により豆腐を切る。以上を特徴とする豆腐切り器である。
【発明の効果】
【０００５】本発明は、本体に張られた糸により豆腐を一瞬にして切るため、安全で大変効率も良く切られた豆腐の大きさ形もきれいである。
【発明を実施するための最良の形態】
【０００６】  以下、本発明の実施の形態を説明する。
（イ）長方形のコの字型からなるステンレス製の本体（１）の上面開口部２箇所に糸保        護用折り返し部（７）を設け、この対面する糸保護用折り返し部（７）の両端２        箇所にステンレス製支軸（２）（３）を設ける。
（ロ）支軸（２）（３）に糸保持用溝（４）と糸保持用ビス（６）と糸止め用ビス（５        ）を設ける。
（ハ）本体（１）前面開口部両サイドに糸保護用平板（８）を設ける。
（ニ）糸保護用折り返し部（７）と糸保護用平板（８）の内側に糸保持用ビス（６）を        設ける。
（ホ）豆腐切り用糸（９）を本体（１）と支軸（２）（３）に設けられた糸保持用ビス        （６）と糸保持用溝（４）に引っ掛け上面２方向、前面１方向に張り糸止め用ビ        ス（５）で固定する。
本発明は以上の構成よりなっている。
本発明を使用するときは、豆腐切り器本体（１）を片手に持ち他方の手で豆腐（１０）を本体（１）の上面開口部２方向に張られた豆腐きり糸（９）の上より本体（１）の中へ落とす。このとき豆腐（１０）は、縦に細長い状態になり、これを本体（１）の前面に張られた豆腐きり糸（９）を通過させ本体（１）より外へ出す。この結果豆腐は、さいの目状態になる。
【実施例】
【０００７】本発明の本体（１）と支軸（２）（３）に設けられた糸保持用溝（４）と糸保持用ビス（６）の間隔を変えることにより豆腐（１０）の切り寸法を変えることができる。
【図面の簡単な説明】
【０００８】
【図１】本発明の斜視図
【図２】本発明の上面図
【図３】本発明の前面図
【符号の説明】
【０００９】  １  本体
２  支軸
３  支軸
４  糸保持用溝
５  糸止め用ビス
６  糸保持用ビス
７  糸保護用折り返し部
８  糸保護用平板
９  豆腐切り糸
１０  豆腐
【図１】
2009142614.tif 000003
【図２】
2009142614.tif 000004
【図３】
2009142614.tif 000005
(57)【要約】【課題】  本発明は、活花の固定部分となる、コイルスプリング状の筒を垂直に台座に取り付け、台座の底に、弾性体を付け活花挿し台としたのが特徴で、大、小、極小を問わない活花を思いのままに簡単に固定し、器に水を満たし、その中に沈めて使用する、水没式活花固定具を提供する。【解決手段】  活花の固定部分となる、コイルスプリング状の筒（１）を垂直に台座（２）に取り付け、台座（２）の底に、弾性体（３）を付け活花挿し台としたのが特徴とする水没式活花固定具。【選択図】図１
2009142613.tif 000002
【特許請求の範囲】
【請求項１】
活花の固定部分となる、コイルスプリング状の筒（１）を垂直に台座（２）に取り付け、台座（２）の底に、弾性体（３）を付け活花挿し台としたのが特徴とする水没式活花固定具。
【発明の詳細な説明】
【技術分野】
【０００１】本発明は、活花の固定部分となる、コイルスプリング状の筒を垂直に台座に取り付け、台座の底に、弾性体を付け活花挿し台としたのが特徴で、大、小、極小を問わない活花を思いのままに簡単に固定し、器に水を満たし、その中に沈めて使用する、水没式活花固定具に関するものである。
【背景技術】
【０００２】従来は、活花固定具として剣山、下記公平（イ、ロ等）により、活花の固定をしていたのである。
（イ）実用新案公開平  ５−３４９７５
（ロ）特許公開平  １１−４６９４８
【発明の開示】
【発明が解決しようとする課題】
【０００３】これは次のような欠点があった。
剣山使用には、活花の茎の硬さや、活花の大きさ、そして、比較的上部にある重心に、固定が難しかった。
剣山や他の固定具使用には、付随する容器の選択に限りがあった。
極小活花については、一輪挿し専用容器でないと難しく、一般的広がりに欠けていた。
本発明は、これらの問題を解決するためになされたものである。
【問題を解決するための手段】
【０００４】活花の固定部分となる、コイルスプリング状の筒（１）を垂直に台座（２）に取り付け、台座（２）の底に、弾性体（３）を付け活花挿し台としたのが特徴の水没式活花固定具である。
【発明の効果】
【０００５】活花の大、小、極小を問わないで、簡単に固定ができ、そして生活用品の容器が使用できるので、気軽に活花を楽しむことができる。
【発明を実施するための最良の形態】
【０００６】以下、本発明を実施するための最良の形態について説明する。
活花の固定部分となる、コイルスプリング状の筒（１）を垂直に台座（２）に取り付け、台座（２）の底に、弾性体（３）を付け活花挿し台としたのが特徴の水没式活花固定具である。
活花茎の全長の、約１５％から約３０％部分の基を抑えて固定する。
活花の固定部分をコイルスプリング状の筒にした。
台座に、コイルスプリング状の筒を固定し、一体ものとする。
台座の底には、弾性体を付ける。
コイルスプリング状の筒の口径及び長さの寸法を変え、活花の挿す量や大きさを変える。
台座は、筒の口径と長さ、そして筒に挿す活花を考慮し、その重心位置が下部になるように重くすると同時に、台座の大きさを適正な寸法に変える。
台座の底の弾性体は、器の保護と置いた時の定着度を高める。
本部品に使用する材質は、水に対し腐食しないものであること。
本発明は、以上のような構造である。
これを使用するときは、日常使用のお気に入り器に水を入れ、それに水没式活花固定具を沈めて、コイルスプリング状の筒の中に活花を挿す。
【図面の簡単な説明】
【０００７】
【図１】本発明の斜視図である。
【図２】本発明の使用状態を示した説明図である。
【符号の説明】
【０００８】１  コイルスプリング状の筒
２  台座
３  弾性材
【図１】
2009142613.tif 000003
【図２】
2009142613.tif 000004
(57)【要約】【課題】本考案は、換気靴の構造が簡単で製造コストが安く、中敷きの交換が出来、実用的な物であり、歩行中に靴内部の空気を換気させるため、靴内の湿気を排除し、足裏を清潔に保ち、水虫や雑菌の繁殖を防ぐことが出来る。【解決手段】従来の換気靴の発明は、構造が複雑で製造コストが高く、中敷きの交換が出来ず、実用的ではなかった。本発明は、構造が簡単で製造コストが安く、中敷きの交換が出来、実用的な物とした。【選択図】図１
2009142616.tif 000002
【特許請求の範囲】
【請求項１】
換気靴に関する空気の入り口と出口とイボが有る換気中敷き
【請求項２】
外気を吸引する為の吸引穴付密閉栓
【発明の詳細な説明】
【技術分野】
【０００１】本発明は、歩行中に靴内部の空気を換気させる発明である。
【技術背景】
【０００２】従来の換気靴の発明は、構造が複雑で製造コストが高く、中敷きの交換が出来ず、実用的ではなかった。
本発明は、構造が簡単で製造コストが安く、中敷きの交換が出来、実用的な物とした。
空気の換気メカニズムは、歩行時の足底が中敷きに圧着する順序が、カカト、土踏まず、つま先の順で空気をつま先に流通させる。
中敷きへの空気入り口栓を挿入しやすく又抜けにくい様に８，９のテーパーを付けた。
【発明の開示】
【発明が解決しようとする課題】
【０００３】従来の換気靴の発明は、構造が複雑で製造コストが高く、中敷きの交換が出来ず、実用的ではなかった。
本発明は、構造が簡単で製造コストが安く、中敷きの交換が出来、実用的な物とした。
【課題が解決するための手段】
【０００４】本発明は、換気靴の構造が簡単で製造コストが安く、中敷きの交換が出来、実用的な物とした。
【発明の効果】
【０００５】本発明は、歩行中に靴内部の空気を換気させるため、靴内の湿気を排除し、足裏を清潔に保ち、水虫や雑菌の繁殖を防ぐことが出来る。
【発明の実施するための最良の形態】
【０００６】本発明は、換気靴の構造が簡単で製造コストが安く、中敷きの交換が出来、実用的な物であり、歩行中に靴内部の空気を換気させるため、靴内の湿気を排除し、足裏を清潔に保ち、水虫や雑菌の繁殖を防ぐことが出来る事を強調する。
【実施例】
【０００７】以下、添付図面の説明をする。１は空気入り口、２は空気誘導路、３は中敷きへの空気入り口栓、４はスポンジ又は通気路、５は空気出口、６は気密コーティング、７はイボ、８は挿入し易いテーパー、９は抜けにくいテーパー。
【図面の簡単な説明】
【０００８】
【図１】  換気靴の全体図
【図２】  中敷きの断面図
【図３】  中敷きへの空気入り口断面図
【符号の説明】
【０００９】１    空気入り口
２    空気誘導路
３    中敷きへの空気入り口栓
４    スポンジ又は通気路
５    空気出口
６    気密コーティング
７    イボ
８    挿入し易いテーパー
９    抜けにくいテーパー
【図１】
2009142616.tif 000003
【図２】
2009142616.tif 000004
【図３】
2009142616.tif 000005
(57)【要約】【課題】  従来からある雨靴は靴の上からは履くことができず重くコンパクトにできない。また近年の先行技術では、本体が大きく容易に着脱できないものや靴底がゴムでできているため、軽量化、コンパクト化できずバイク及び自転車の運転時における急な雨や寒さに対処できない。【解決手段】本体は防水効果があり軽量で小さく折り曲げコンパクトにすることが可能な材質で、本体上部にはずれを防止するため締め付けるゴム部材またはマジックテープを取り付け、底面部には運転時に脱げるのを防止するため外周部以外は空洞で外周部に沿ってゴム部材を輪状に取り付けることにより、常に携帯が可能でバイク及び自転車の運転時における急な雨や寒さから容易に足元を防護できる。【選択図】図１
2009142623.tif 000002
【特許請求の範囲】
【請求項１】
雨靴本体は防水効果があり軽量で小さく折り曲げコンパクトにすることが可能な材質で本体上部にはずれを防止するため締め付けるゴム部材またはマジックテープを取り付け、底面部には外周部以外は空洞で外周部に沿ってゴム部材を輪状に取り付けたところを特徴とするコンパクト雨靴。
【発明の詳細な説明】
【技術分野】
【０００１】  本発明は、バイク及び自転車の運転時に急な雨や寒さから靴を履いたまま容易に足元を防護する雨靴に関する。
【背景技術】
【０００２】  従来、雨から足元を防護するのに雨靴を使用していた。また近年の先行技術には靴の上から履くタイプのものがある（例えば、特許文献１、特許文献２参照）。
【特許文献１】特開２００４−２７５６５６
【特許文献２】特開２００７−１６７５９１
【発明の開示】
【発明が解決しようとする課題】
【０００３】  以上に述べた従来からある雨靴は靴の上からは履くことができず重くコンパクトにできない。また近年の先行技術では、本体が大きく容易に着脱できないものや靴底がゴムでできているため、軽量化、コンパクト化できずバイク及び自転車の運転時において容易に急な雨や寒さに対処できないことを課題とする。
【課題を解決するための手段】
【０００４】  以上の課題を解決するために本体は防水効果があり軽量で小さく折り曲げコンパクトにすることが可能な材質で、本体上部にはずれを防止するため締め付けるゴム部材またはマジックテープを取り付け、底面部には運転時に脱げるのを防止するため外周部以外は空洞で外周部に沿ってゴム部材を輪状に取り付けることにより問題点を解決している。
【発明の効果】
【０００５】  上述したように本発明のコンパクト雨靴は、軽量化、コンパクト化を図り常に携帯が可能でなおかつ容易に着脱できることにより、バイク及び自転車の運転時に急な雨や寒さから容易に足元を防護できる。
【発明を実施するための最良の形態】
【０００６】  以下、本発明の実施の形態を図１〜図２に基づいて説明する。【０００７】  雨靴の本体１は従来からある雨靴程度の大きさで防水効果があり軽量で小さく折り曲げコンパクトにすることが可能な塩化ビニール樹脂や軟質ビニールなどのビニール樹脂等とする。【０００８】  本体上部２にはずれを防止するため締め付けるゴム部材またはマジックテープ２Ａを取り付ける。【０００９】  底面部３については外周部３Ａ以外は空洞部３Ｂで外周部３Ａに沿ってゴム部材３Ｃを輪状に取り付ける。以上のように、本実施形態によれば軽量化、コンパクト化が図れ常に携帯が可能でなおかつ容易に着脱できることにより、バイク及び自転車の運転時に急な雨や寒さから容易に足元を防護できる。
【図面の簡単な説明】
【００１０】
【図１】本発明の側面図
【図２】本発明の底面図
【符号の説明】
【００１１】  １    雨靴本体
２    本体上部
２Ａ  ゴム部材またはマジックテープ
３    本体底面部
３Ａ  底面外周部
３Ｂ  底面空洞部
３Ｃ  ゴム部材
【図１】
2009142623.tif 000003
【図２】
2009142623.tif 000004
(57)【要約】【課題】自覚症状が少ないため、眼に異常を感じて始めて眼科医へ行き、精密な医療機器で検眼して緑内障の視野欠損がわかる事が多く、病状が進行してしまう事が多かった。これを防ぐ為に自覚症状が無くても、自分で眼の視野欠損を調べられるようにし、視野欠損の疑いを早期に発見できる様にする。【解決手段】長手の筒の中に明るい底が見え、底の手前に鮮明な輪郭が見える様にして、筒の上部の開口部近くに目印を円周状に設けて、筒を片眼で覗いて底を見ながら、瞳だけを前後左右の目印へ大きく動かした時、輪郭を見て、ぼやけなどの異状で視野欠損の疑いを調べられる様にした。【選択図】図１
2009142621.tif 000002
【特許請求の範囲】
【請求項１】
下部に底があり、上部が開口した中空の筒で、底より適当な高さの所で、筒の内径を小さくし、その筒の内径の小さくなった所から底までの筒の側壁を、透明な材料で成形し、筒の内径を小さくした所から開口部までのほぼ半分位の内壁を、黒色などの濃い色にし、その濃い色の所から開口部までの筒の内壁を、白色などの明るい色にし、その白色部分の中間の筒の内壁に、円周状に複数の目印を書いた緑内障の視野欠損検査器
【請求項２】
上記、請求項１記載の円周状の複数の目印を、ガラス片やプラスチック片などの集光力のある凸部にした、緑内障の視野欠損検査器。
【発明の詳細な説明】
【技術分野】
【０００１】本発明は緑内障の視野検査に関するものであり、精密な機器を使用しなくても個人やや家庭で簡単に視野欠損の疑いを調べられるようにしたものである。
【背景技術】
【０００２】従来から一般に、眼科医が使っている視野の検査機器があり、視野のどの位置がどの位欠損しているか、又欠損の進行状況などを精密に調べて、画面に映したり、写真や図面に記録する、医療用の精密検査機器はあった。
【発明の開示】
【発明が解決しようとする課題】
【０００３】緑内障は視野が少しずつ欠けていく病気で、目の異状を感じて眼科で精密検査を受けて初めて視野に欠損がある事がわかった。しかも欠損は治す事は出来ず、進行を止める事しか出来ないため、早期発見が大事であるが、日常生活に於いては、両眼で物を見ている為、片眼の視野が少し欠けても気が付く事が出来ず、自覚症状がでて始めて眼科医の精密検査を受けるため、症状が進んでしまっている事が多かった。【０００４】又、視野欠損を自分で調べようとしても、片眼での視界の中で、どの範囲まで見えれば正常なのか、どの部分が見えてないから視野欠損なのか、視界の中に目印や基準となるものが無いために、自覚症状の無い少しの欠損はわからなかった。又平面な紙上に桝目を書いて視野の範囲を作っても、周囲が明るい為に視野が欠損しているか調べる事が難しかった。
本発明は手軽に視野欠損の疑いを早期に発見できるように、筒の中を覗いた時、底部と輪郭が鮮明に見える様にし、瞳を大きく動かす為の目印を筒の内壁に設けて、瞳を大きく動かしながら視野欠損の疑いの有無を、自分で調べられる様にする事を課題としている。
【課題を解決するための手段】
【０００５】上記の課題を解決する為に、筒の中を片眼で覗いた時、底が明るく円形に見え、その周囲を暗くして、円形の輪郭が鮮明に見えるようにして、輪郭を視野の基準とする。筒の上部の開口部から底の目印を見たまま、開口部近くの目印へ、瞳だけを大きく動かして、底の輪郭が鮮明か不鮮明かで視野の欠損の疑いの有無がわかる様にした。【０００６】請求項２のガラス片又はプラスチック片の目印は、筒の中が暗い為、周囲の光を集光して、目印を見易くした。
【発明の効果】
【０００７】眼科医で使用されている検査機器は、個人では使用できず、検査ができなかった。従来、視野欠損を発見するのには、眼の痛みや見ずらいなどの自覚症状が出て眼科医で検査を受けて初めてわかった。しかし発見が遅れるため、病状が進行してしまう事が多かった。これを防ぐ為に本発明は、簡単な機器で自覚症状が無くても視野欠損の疑いを自分で調べられ、疑いがあれば早期に眼科医の検査を受ける事が出来る。【０００８】使用状態を説明すると、筒の開口部から片眼で中を覗いて底の丸印を見る。底の中心の目印を見ると黒い輪郭が鮮明に見える。その状態のままで、横目で見るように瞳だけを動かし、開口部近くの円周状の一つの目印を見る。目印を見た時、瞳は目一杯動いた状態になり、そのままの状態で輪郭を見る。輪郭が鮮明に見えるか不鮮明かで視野の異状を知る事が出来る。  瞳を円周状の目印へ前後左右に最大限に動かしながら、動かした反対側の輪郭が鮮明に見えるか調べる。
視野欠損の疑いの使用状態を示した図４の場合は、筒を覗いて瞳を右側の目印へ目一杯動かした時、反対側の左の輪郭がぼやけて見えた状態を表している。
正常の場合には、瞳を目一杯動かしても輪郭は鮮明に見える。異状がある場合には輪郭の一部分が、ぼやけたり雲や霧がかかった様に見えたり、瞬間的に輪郭の端が見えなくなったりする。この輪郭の異状で視野欠損の疑いを知る事ができ、早期に眼科医で検査を受ける事が出来る。
【発明を実施するための最良の形態】
【０００９】一端が開口した中空の筒の反対側の一端に、平面な底を設け、底から適当な高さの所の筒の内側に、筒の直径より多少小さな内径で円形の穴を開けた仕切り板を設け、その仕切り板から底までの筒の側壁を透明な材料で成形し、筒の内側の底を白色などの明るい色にして、その中心に円形などの目印を描く。そして筒の内部の仕切り板から開口部までの、およそ半分の側壁と仕切り板を黒色などの濃い色にし、開口部までの残りの側壁を白色などの明るい色にし、その筒の内側の白色の部分に円周状に複数の目印を設ける事を特徴とする。
【実施例】
【００１０】以下、本発明の実施形態を図の番号を参照して説明する。
長手の筒１、２に底４を設け、底から適当な高さの所に、平面な板で輪郭部３を設ける。輪郭部３は、中心に筒の内径より少し小さな内径で円形の穴を開け、外径が筒の内側に接する。  そして、底から輪郭部までの筒の側壁を、透明な側壁２で成形する。底４の内側を白色などの明るい色にして中心に丸い目印を描き、筒の内側の、７の部分と輪郭部を黒色にする。そして開口部の内側の１０を白色にし、その白色部のほぼ中央の位置に目印８を円周状に複数描く。
又、目印８を描く代わりに、ガラス片やプラスチック片の集光力のある小さな凸状のものを取り付けても良い。
【産業上の利用可能性】
【００１１】本発明は簡単な構造で安価で製造でき、個人で視野欠損の疑いを検査できる。
【図面の簡単な説明】
【００１２】
【図１】一部断面の斜視図
【図２】側面断面図
【図３】上面図
【図４】使用状態で視野欠損の疑いのある事を示す上面図
【符号の説明】
【００１３】  １    筒
２    透明な側壁
３    輪郭部
４    底
５    開口部
７    黒色部分
８    目印
９    底部目印
１０    白色部分
１１    視野欠損の疑いのある状態を示す
【図１】
2009142621.tif 000003
【図２】
2009142621.tif 000004
【図３】
2009142621.tif 000005
【図４】
2009142621.tif 000006
(57)【要約】【課題】リラクタンスモータにおいて、簡易な構造で、ステータのコイルを冷却することができるようにする。【解決手段】リラクタンスモータ１０は、回転軸１８の径方向に突出する突極１６を備えるロータコア１４と、これの周囲に配置されたステータコア２２を有する。そして、回転軸方向において、ステータコア２２の長さよりロータコア１４の長さのほうが長い。この構成により、ロータコア１４が回転すると、ロータコア１４の突極１６がステータコア２２の外側にあるコイルエンド２６に向け空気を送り出すので、コイル２４が冷却される。【選択図】図２
2009142024.tif 000002
【特許請求の範囲】
【請求項１】
回転軸の径方向に突出する突極を備えるロータコアを含むロータと、
前記ロータの周囲に配置されたステータコアと、当該ステータコアに備えられたコイルとを含むステータと、
を有するリラクタンスモータであって、
回転軸方向における前記ロータコアの長さが、前記ステータコアより長い、
ことを特徴とするリラクタンスモータ。
【請求項２】
請求項１記載のリラクタンスモータであって、
さらに、回転軸方向における前記ロータコアの長さは、前記ステータコアの外側にあるコイルエンドの両端を結ぶ長さと略同じ、またはそれ以上である、
ことを特徴とするリラクタンスモータ。
【発明の詳細な説明】
【技術分野】
【０００１】
本発明は、リラクタンスモータの冷却構造に関する。
【背景技術】
【０００２】
ロータが、磁気抵抗（リラクタンス）が異なる部分を円周方向に交互に配置して構成され、このロータと回転磁界との間に発生する電磁的相互作用によりロータを回転させるリラクタンスモータが知られている。
【０００３】
下記特許文献１には、回転軸の径方向に突出した突極を円周方向に等間隔に配置して構成されるロータを有するリラクタンスモータが記載されている。このリラクタンスモータのロータにおいては、突極を設けることにより、磁気抵抗の小さい部分（突極）と磁気抵抗の大きな部分（突極の間の部分）とが交互に配置されるよう構成されている。
【０００４】
【特許文献１】特開２００１−３５９２６２号公報
【発明の開示】
【発明が解決しようとする課題】
【０００５】
上述したリラクタンスモータに限らず電動機のコイルは、通常、これに流れる電流により発熱する。
【０００６】
本発明の目的は、簡易な構造で、コイルを冷却することができるリラクタンスモータを提供することにある。
【課題を解決するための手段】
【０００７】
本発明は、回転軸の径方向に突出する突極を備えるロータコアを含むロータと、前記ロータの周囲に配置されたステータコアと、当該ステータコアに備えられたコイルとを含むステータと、を有するリラクタンスモータであって、回転軸方向における前記ロータコアの長さが、前記ステータコアより長いことを特徴とする。
【０００８】
さらに、回転軸方向における前記ロータコアの長さは、前記ステータコアの外側にあるコイルエンドの両端を結ぶ長さと略同じ、またはそれ以上であるとすることもできる。
【発明の効果】
【０００９】
本発明のリラクタンスモータは、簡易な構造で、コイルを冷却することができる。
【発明を実施するための最良の形態】
【００１０】
以下、本発明のリラクタンスモータ１０について、図面に従って説明する。図１は、本実施形態に係るリラクタンスモータ１０の概略構成を示す図である。図２は、図１においてＡ−Ａから見たときのリラクタンスモータ１０を示す断面図である。
【００１１】
リラクタンスモータ１０は、ロータ１２と、ステータ２０と、これらを収容するハウジング３０を有している。ハウジング３０の内周面にステータ２０が固定され、このステータ２０の内周にロータ１２が回転可能に配置されている。
【００１２】
ステータ２０は、中空の円筒形状をしたステータコア２２と、このステータコア２２に備えられたコイル２４とを有する。ステータコア２２には、これの内周側に突出し、円周方向に所定の間隔をおいて配置された磁極２２ａが形成されている。磁極２２ａの間の、溝状の空間であるスロット２２ｂには、導線が通され、この導線をスロット２２ｂに通しつつ磁極２２aに巻きつけることでコイル２４が形成される。コイル２４には、導線が、あるスロット２２ｂから他のスロット２２ｂに橋渡しされる、いわゆるコイルエンド２６と呼ばれる部分がある。コイルエンド２６は、図２に示されるように、回転軸方向においてステータコア２２の外側に位置する。
【００１３】
ロータ１２は、回転軸と同軸の回転シャフト１８と、この回転シャフト１８に固定されたロータコア１４を有する。回転シャフト１８は、軸受２８を介してハウジング３０に回転可能に支持されている。ロータコア１４は、ステータコア２２に僅かな隙間を開けて相対しており、回転シャフト１８の軸線、すなわち回転軸を中心に回転する。ロータコア１４は、強磁性体の鋼板を回転軸方向に積層して構成されている。鋼板には、回転軸の径方向に突出した凸形状が、円周方向に所定の間隔に例えば８箇所設けられている。これらの凸形状がそれぞれ列を成して積層されることにより、ロータコア１４に突極１６が構成される。また、隣り合う突極１６の間には、空隙が形成され、この空隙は突極１６より磁気抵抗の大きい部分である。このように、磁気抵抗（リラクタンス）が異なる部分が円周方向に交互になるようロータコア１４が構成されることにより、ステータ２０が生成する回転磁界に吸引される力がロータコア１４に発生し、ロータ１２が回転する。なお、本実施形態における突極１６の数は一例であって、本発明は突極１６の数に限定されるものではない。
【００１４】
ロータ１２は、回転軸方向におけるロータコア１４の長さが、コイルエンド２６の両端を結ぶ長さと略同じになるように構成されている。すなわち、ロータコア１４の一部がコイルエンド２６に間隔をおいて相対するように構成されている。この構成により、ロータ１２が回転すると、コイルエンド２６に相対するロータコア１４の一部に形成される突極１６が回転し、空気が径方向、すなわちコイルエンド２６に向かい送り出される。このとき、コイル２４が電流により発熱していると、コイルエンド２６に送風される空気が冷却媒体となり、この空気によりコイルエンド２６が冷却されるので、コイル２４が冷却される。
【００１５】
上記実施形態では、回転軸方向において、ロータコア１４の長さがコイルエンド２６の両端を結ぶ長さと略同じある場合について説明したが、この構成に限定されるものではない。回転軸方向において、ロータコア１４の一部が、ステータコア２２の両側にあるコイルエンド２６の少なくとも一方に間隔をおいて相対するように構成されていればよい。例えば、回転軸方向におけるロータコア１４の長さが、ステータコア２２より長くてもよいし、コイルエンド２６の両端を結ぶ長さより長くてもよい。
【図面の簡単な説明】
【００１６】
【図１】本実施形態に係るリラクタンスモータの概略構成を示す図である。
【図２】図１においてＡ−Ａから見たときのリラクタンスモータを示す断面図である。
【符号の説明】
【００１７】
１０  リラクタンスモータ、１２  ロータ、１４  ロータコア、１６  突極、１８  回転シャフト、２０  ステータ、２２  ステータコア、２４  コイル、２６  コイルエンド。
【図１】
2009142024.tif 000003
【図２】
2009142024.tif 000004
(57)【要約】【課題】経済性に優れ、安全な消毒方法を提供する。【解決手段】対象物にカルボン酸、鉄（II）イオン及び／又は鉄（III）イオンを含む溶液を接触させつつ、光を照射する対象物の消毒方法。【選択図】なし【特許請求の範囲】
【請求項１】
対象物にカルボン酸と、鉄（II）イオン及び／又は鉄（III）イオンとを含む溶液を接触させつつ、光を照射することを特徴とする対象物の消毒方法。
【請求項２】
対象物が魚類に付着した微生物、貝類に付着・寄生している微生物、廃水中の有害生物、医療用器具または歯科用器具である請求項１記載の対象物の消毒方法。
【請求項３】
カルボン酸が二塩基カルボン酸である請求項１記載の対象物の消毒方法。
【請求項４】
二塩基カルボン酸がシュウ酸、アジピン酸またはピメリン酸である請求項３記載の対象物の消毒方法。
【請求項５】
光が太陽光である請求項１記載の対象物の消毒方法。
【発明の詳細な説明】
【技術分野】
【０００１】
本発明は、カルボン酸、鉄イオン、光を用いた消毒方法に関する。
【背景技術】
【０００２】
既存の消毒方法には、紫外線照射法、消毒用アルコールや過酢酸等の消毒薬を用いる方法が挙げられる。紫外線照射法は、未だ使用されているようであるが、非照射部分への効果が期待出来ないため、現在では有用性は限定的である（非特許文献１）。また、消毒用アルコールを用いる方法では引火性に注意が必要であり、過酢酸を用いる方法では臭気対策が必要であるなど、安全な消毒方法は見出されていないのが実状である（非特許文献２）。カルボン酸、鉄イオン、光を用いた技術としては、クロロエチレン類等のような有機物の分解が可能であることが知られている（非特許文献３）。しかしながら、当該組み合わせによって消毒が可能であることは見出されていない。
【非特許文献１】消毒薬の使用指針（編集  日本病院薬剤師会）
【非特許文献２】消毒と滅菌のガイドライン（編集  ＮＴＴ東日本関東病院）
【非特許文献３】資源・素材学会春季大会講演集（２００７年）  シュウ酸イオンと鉄イオンを用いたクロロエチレン類の光分解メカニズム（東北大学  晴山渉）
【発明の開示】
【発明が解決しようとする課題】
【０００３】
本発明の課題は、経済性に優れ、安全な消毒方法を提供することにある。発明者らは本目的を解決するため鋭意検討を重ねた結果、カルボン酸、鉄イオン、光を組み合わせることにより消毒が可能であることを見出し、本発明を完成させるに至った。
【課題を解決するための手段】
【０００４】
即ち、本発明は、対象物にカルボン酸と、鉄（II）イオン及び／又は鉄（III）イオンとを含む溶液を接触させつつ、光を照射する対象物の消毒方法に関する。
【発明の効果】
【０００５】
本発明によれば経済性に優れ、安全な消毒が実施可能である。
【発明を実施するための最良の形態】
【０００６】
本発明の消毒対象物としては、養殖魚や熱帯魚等の魚類に付着した微生物、同様の環境で生息する貝類に付着・寄生している微生物、廃水中の有害生物、医薬用器具、歯科用器具等が挙げられる。特に既に紫外線の適用が試みられている養殖魚や熱帯魚への適用は容易である。また、医薬分野において以前使われていた紫外線ランプを有効に利用するためにも本技術は適用される。
【０００７】
本発明に用いられるカルボン酸は、鉄キレートを形成する二塩基カルボン酸が好適に使用される。好ましくはシュウ酸、アジピン酸、ピメリン酸であり、特に好ましくはシュウ酸である。鉄イオンは、２価（II）及び／または３価（III）の鉄塩を水に溶解させることにより得られる。また、アニオン種に制限はなく、水溶性の鉄塩であれば使用可能である。具体例としては、硫酸第一及び第二鉄、硫酸第一鉄及び第二鉄アンモニウム、塩化第一及び第二鉄、硝酸鉄等が挙げられる。光源は、特に制限はなく、紫外線ランプ等も使用可能であるが、経済的に好ましい太陽光の使用も可能である。
【０００８】
カルボン酸の濃度や鉄イオンの濃度には、特に制限はなく、溶解度及び対象となる菌類の強さ、濃度を勘案して決定すれば良い。常用されるカルボン酸の濃度は０．１重量％から飽和までである。また、鉄イオンの常用濃度は１ｐｐｍから１％の範囲である。尚、本発明におけるカルボン酸は光照射によって消費されていくので、初期濃度は鉄イオンに対し１０倍以上（モル比）過剰であることが好ましい。
【実施例】
【０００９】
以下、実施例により本発明を具体的に説明するが、本発明は、以下の実施例に限定されるものではない。
＜イースト菌を用いた消毒試験方法＞
本発明のカルボン酸、鉄イオン、光の組み合わせによる消毒方法の強さを調べるため、以下の方法で消毒試験を実施した。使用したイースト菌と培地は以下の通り。
イースト菌(パン酵母)：日清フーズ株式会社製  日清スーパーカメリア
培養用培地：三愛石油株式会社製  サンアイバイオチェッカーＭ
手順を以下に示す。
１．イースト菌１００ｍｇに超純水１０ｍＬを加える。・・・（１）
２．被検液９ｍＬに（１）１ｍＬを加え、太陽光が照射される場所に所定時間放置する。・・・（２）
３．（２）１ｍＬを超純水で１００倍に希釈する。・・・（３）
４．バイオチェッカーＭを（３）に浸す。
５．３０℃にて４８時間培養する。
６．対照表により菌数を測定する。
注）ブランクでは被検液の替わりに超純水を用いた。
【００１０】
実施例１〜６、比較例１〜８
硫酸第二鉄（アルドリッチ製）と、シュウ酸二水和物（和光純薬製）、アジピン酸（東京化成工業製）、ピメリン酸（東京化成工業製）、マロン酸（和光純薬製）、コハク酸（和光純薬製）、グルタル酸（和光純薬製）とを用い、鉄イオン濃度４００ｐｐｍ、カルボン酸濃度／鉄イオンの比が１０モル比であるような溶液をそれぞれ調製した。
６種類の液を被検液とし、太陽光照射時間３０分及び６０分にて前記イースト菌消毒試験を行った。結果を表１に示す。
【００１１】
【表１】
2009142367.tif 000002
(57)【要約】【課題】本発明は、細長く裁断した多数のカーペットを、織物のように経糸用と横糸用として順番に組合して織るもので、ボリュウム感に富み、クッション性もよく、従来のカーペットではありえないような斬新な風合いと機能性及び意匠性のあるカーペットを得ることを課題とする。【解決手段】本発明者らは、様々な形態のカーペット（ベロア、サキソニー、シャギー、プレーンループ、カットループ、ハンタフ等）を細長く裁断し（５〜３０ｃｍ×１００〜２２０ｃｍ程度とし、以下短冊という。）、該裁断したカーペットの多数の短冊を、織物の経糸と横糸のようにして、組合していくことによって、従来にない風合いと機能性と意匠性のあるカーペットが得られることを見出し本発明に到達した。【選択図】        図１
2009142580.tif 000002
【特許請求の範囲】
【請求項１】
複数の細長く短冊状にしたカーペットを組み合わせてなることを特徴とする組み合わせカーペット。
【請求項２】
複数の細長く短冊状にしたカーペットを組み合わせ、一枚のカーペットにすることを特徴とする組み合わせカーペットの製造方法。
【発明の詳細な説明】
【技術分野】
【０００１】
本発明は、細長く裁断したカーペットを短冊とし、織物の経糸と横糸のように組み合わせ、一枚のカーペットにするものである。
【背景技術】
【０００２】
従来から室内に様々なカーペットが敷設され、快適な室内空間をかもし出すものとして広く使用されてきた。
【０００３】
なかでも、タイルカーペットの柄出しの方法として、デザイン貼りと称して、タイルペットを様々な形や色に裁断して、デザインを描きながら貼り付ける方法がよく知られている。
【０００４】
【特許文献１】特開平２００６−１９７９９６
【発明の開示】
【発明が解決しようとする課題】
【０００５】
本発明は、細長く裁断した多数のカーペットを織物のように、経糸用と横糸用として順番に組合して織るもので、従来にない風合いと機能性及び意匠性のあるカーペットを得ることを課題とする。
【課題を解決するための手段】
【０００６】
本発明者らは、このような課題を解決するために、様々な形態のカーペット（ベロア、サキソニー、シャギー、プレーンループ、カットループ、ハンタフ等）を細長く裁断し（５〜３０ｃｍ×１００〜２２０ｃｍ程度とし、以下短冊という。）、該裁断したカーペットの多数の短冊を、織物の経糸と横糸のようにして、組合していくことによって、従来にない風合いと機能性のあるカーペットが得られることを見出し本発明に到達した。本発明は、以下の手段を提供する。
【０００７】
［１］複数の細長く短冊状にしたカーペットを組み合わせてなることを特徴とする組み合わせカーペット。
【０００８】
［２］複数の細長く短冊状にしたカーペットを組み合わせ、一枚のカーペットにすることを特徴とする組み合わせカーペットの製造方法。 
【発明の効果】
【０００９】
［１］及び［２］の発明では、例えば図１に示すように、織物の縦糸と横糸を拡大したようなカーペットが得られ、従来にないような風合いのカーペットを得ることができる。また、バラバラに解体することもできるので、夏など使わないで収納するときはコンパクトに収納することができ、持ち運びにも便利である。また、汚れた場合には、その部分だけをはずして洗うことができる。さらに、部屋の模様替えのときには、バラバラに解体して、同じ短冊群から新たな組み換えをしてやれば、また雰囲気の変わったカーペットにすることができる。また、さらに、幅や色をかえたり、様々な形態のカーペットを短冊状にし、種類を増やした場合には、非常に多くの組み合わせが得られ、自分だけのアレンジを楽しむことのできるカーペットとすることができる。
【発明を実施するための最良の形態】
【００１０】
本発明によるカーペット１は、図１に示すように織物の経糸と横糸のように、細長く裁断した短冊を上にしたり下にしたりしながら組み合わせ、最終的に一枚のカーペットをなすもので、短冊の長さを替えてやればどのような形のカーペットも作成することができる。また、短冊ごとに色や素材、パイル構成をかえてやればさらに多くの組み合わせが得られ、バラエティーに富んだカーペットとすることができる。
【００１１】
例えば、短冊として、例えば縦用に１０ｃｍ×１９０ｃｍを１９枚、横用に１０ｃｍ×１３０ｃｍを１３枚とすれば、約１９０ｃｍ×１３０ｃｍの大きさのカーペットに組むことができる。
【００１２】
短冊とするカーペットとしてはタフテッドカーペット、織カーペット、編カーペット、電着カーペット、ハンタフカーペット等を例示でき、細く裁断したときに裁断面がほつれてこないように、ほつれ止めをすることが好ましい。ほつれ止めとしては、裁断面をラテックスや接着樹脂、接着テープ等で固着したり、また、溶融裁断機で裁断すれば、裁断と同時にほつれ止めがなされる。
【００１３】
また、カーペットのパイル素材は、特に限定されるものではなく、ポリエステル繊維、ポリアミド繊維、ポリプロピレン繊維、アクリル繊維等の合成繊維、麻、綿、羊毛等の天然繊維等の繊維あるいは、これらの複合糸から構成される。
【００１４】
カーペットのパイル糸の太さも特に限定するものではない。パイル長としては、長い方が裁断面を覆い隠すようにパイル糸が倒れることから好ましい。８ｍｍ以上あれば好ましい。
【００１５】
カーペットのセカンド基布については、カーペットのバックステッチ面の保護のため、あるいは、短冊を組んだり、部分的に組み替えるときにセカンド基布を貼ったカーペットの方がやり易いことから、セカンド基布を積層したカーペットのほうが好ましい。セカンド基布としては、不織布が好適である
【実施例】
【００１６】
つぎに本発明のカーペットについて具体的な実施例について説明する。なお、この発明のカーペット及び製造方法は、実施例に限定されるものではない。
【００１７】
＜実施例１＞
色相と大きさの異なる二枚の柄カーペットを、縦用に１０ｃｍ×１９０ｃｍを１９枚、横用に１０ｃｍ×１３０ｃｍを１３枚、超音波裁断機によって裁断した。次に床面に縦用の１９枚のカーペットを平行に並べ、横用の１枚のカーペットを織物の横糸のように、並べられた縦用のカーペットを上にしたり下にしたりしながら横用のカーペットと組み合わせ、順に残りの１２枚の横用のカーペットを一枚ずつ縦用のカーペットの上にしたり下にしたりしながら組み合わせて、一枚のカーペットに組み合わせた。出来上がったカーペットは、二枚のカーペットを重ねたよりも、ボリュウム感に富み、クッション性もよく、従来のカーペットではありえないような斬新なものであった。
【図面の簡単な説明】
【００１８】
【図１】本発明の一実施形態に係わるカーペットの斜視写真である。
【産業上の利用可能性】
【００１９】
本発明は、従来にない風合いと機能性のあるカーペットを得ることができ、個性豊かな屋内用の敷物としても広く利用されることができる。
【図１】
2009142580.tif 000003
(57)【要約】【課題】  ペット用トイレにペットが糞をして、次にトイレに行ったときに踏んでしまって汚したり食べてしまうことがないように、従来のペット用トイレに自動傾斜装置と糞収納庫を設けたペット用糞自動処理トイレを提供する。【解決手段】  従来の二段構造になっているペット用トイレの下部にもう一段幅を設け（１）、下段（１）と中段（２）の四辺をジャバラ（７）で繋ぐ。ペットが乗って降りた時に重みで反応するスイッチ（５）を設置する。ペットが糞をして降りると数秒後にジャバラ（７）の内部にある傾斜用伸縮足（１０）が伸びてペットトイレを押し上げることにより傾き、糞が転がって糞収納庫へ落ちる仕組みになっているペット用糞自動処理トイレを特徴とする。【選択図】図１
2009142253.tif 000002
【特許請求の範囲】
【請求項１】
（イ）従来二段構造になっているペット用トイレの下にもう一段幅（３）を設ける。
（ロ）中段部分（２）にペットの重みに反応するスイッチ（５）を設ける。
（ハ）下段（１）と中段（２）をジャバラ（７）でつなぐ。
（ニ）下段（１）の中に自動傾斜装置（１０）を設ける。
（ホ）糞収納庫を設け、傾斜すると糞が落ちる仕組みにする。
以上の構成よりなる、ペット用糞自動処理トイレ。
【発明の詳細な説明】
【技術分野】
【０００１】  この発明は、ペット用トイレにペットの重みで反応するスイッチを設け、ペットが糞をして降りた時にスイッチが入り、トイレが傾き、糞をゴミ箱に落ちるようにした、ペット用糞自動処理トイレに関するものである。
【背景技術】
【０００２】  従来、自動で糞を処理できるペット用トイレはなかった。
【発明の開示】
【発明が解決しようとする課題】
【０００３】  これは、次のような欠点があった。
従来、ペット用トイレにペットが糞をした場合、飼い主がすぐに気づいて処理しないと次におしっこや糞をする時に、嫌がってしなかったり、踏んでしまって汚したり、食べてしまう犬がいて、長時間留守にする場合は困ることが多かった。
本発明は、以上のような欠点をなくすためになされたものである。
【課題を解決するための手段】
【０００４】  従来のペット用トイレの下部にもう一段幅を設け（１）、四辺をジャバラ（７）で繋ぐ。ペットが乗って糞をして降りた時に重みで反応するスイッチ（５）を設置する。ペットが糞をして降りると数秒後にジャバラ（７）の内部にある傾斜用伸縮足（１０）が伸びてペットトイレを押し上げることにより傾き、糞が転がって糞収納庫へ落ちる仕組みになっている。縦方向と横方向順番に傾くことによりもれなく処理できる。ジャバラ（７）になっているのでペットが足を挟んで怪我をする心配がない。
本発明は、以上の構成よりなるペット用糞自動処理トイレである。
【発明の効果】
【０００５】  （イ）糞を自動で処理できるのでいつでも衛生的な環境を提供できる。
（ロ）飼い主は、長時間の外出も心配なくできる。
（ハ）糞収納庫にトイレットペーパーを敷いておけばそのまま手を汚さずにトイレへ捨てることができ、飼い主の手間が省ける。
（二）縦、横両方向に傾くことにより、もれなく糞を処理できる。
（ホ）トイレの壁が従来のものより高くなっているので糞をする時にはみ出して失敗してしまうことがない。
【発明を実施するための最良の形態】
【０００６】  以下、本発明を実施するための最良の形態について説明する。
三段に分かれた構造になっている。
下段（１）と中段（２）は四辺をジャバラ（７）で繋ぐ。
中段のペットシーツを敷く場所の下にシートスイッチ（５）を設置する。
ペットが乗り糞をして降りするとスイッチが入る。
スイッチが入ると電動で伸縮する足（１０）を下段（１）のジャバラ（７）の中に縦方向傾斜用と横方向傾斜用に２本設置する。
上段に糞収納庫の扉（６）を、縦方向と横方向の二箇所に設ける。
糞収納庫の上部は蓋（４）になっていて取り外して糞の処理ができる。
本発明は、以上のような構造である。
これを使用するときは、コンセント（８）か電池から電源をとり、電源を入れた状態で設置しておき、ペットが糞をして降りた後に自動的にトイレが傾斜して糞収納庫に落ちた糞を手が空いているときにトイレに捨てればよい。
他の傾斜実施タイミングの検出方法として、ペットが乗り降りしてスイッチが入った後に、光センサーで糞の有無を察知して、糞がある時のみ傾斜する方法がある。
【図面の簡単な説明】
【０００７】
【図１】  本発明の斜視図である。
【図２】  本発明の斜視図である。
【図３】  本発明の断面図である。
【図４】  本発明の斜視図である。
【符号の説明】
【０００８】  １  下段
２  中段
３  上段
４  糞収納庫の蓋
５  シートスイッチ
６  糞収納庫の扉
７  ジャバラ
８  コンセント
９  ペットトイレシーツ交換用上段開閉ボタン
１０  傾斜用伸縮足
【図１】
2009142253.tif 000003
【図２】
2009142253.tif 000004
【図３】
2009142253.tif 000005
【図４】
2009142253.tif 000006